(57)【要約】【課題】  無線電波を商用電源線を利用して簡単にかつ効率よく受信する。【解決手段】  商用電源に接続され、受信器に対して動作電源を供給する電源コード本体２０１の２本の導線３０３，３０４の間に、所定長の金属材でなるアンテナ素子２０４を配置し、このアンテナ素子２０４を同軸ケーブル部２０６で構成されるアンテナ給電線によって受信器１１３のアンテナ端子１１３ｃに接続して、商用電源線路によって伝播される無線電波を、アンテナ素子２０４で取得して受信器に送る。  また、アンテナ素子２０４とは別体に構成された補助アンテナを商用電源線路に接続して商用電源線路を伝播する無線電波の利得を増大させることで、電源コード本体２０１に埋設されるアンテナ素子２０４による受信効率を向上させる。【選択図】  図２
2005136907.tif 000002
【特許請求の範囲】
【請求項１】
所定間隔を置いて配置された２本の導線及びこの２本の導線を電源に接続するための電源プラグとで構成された電源コード本体と、
この電源コード本体の前記２本の導線を含む略平面内に配置された金属材で構成されたアンテナ素子と、
を具備したことを特徴とするアンテナ装置。
【請求項２】
所定間隔を置いて配置された２本の導線及びこの２本の導線を前記間隔を保持した状態で絶縁被覆する絶縁材及び前記２本の導線の一端に接続され、前記２本の導線を電源に接続するための電源プラグとで構成された電源コード本体と、
この電源コード本体の前記２本の導線の間に配置され絶縁材で被覆された所定長の金属材で構成されたアンテナ素子と、
を具備したことを特徴とするアンテナ装置。
【請求項３】
前記２本の導線と前記アンテナ素子を、それぞれ異なる誘電体特性を有する絶縁材で被覆したことを特徴とする請求項１に記載のアンテナ装置。
【請求項４】
所定間隔を置いて配置された２本の導線と、この２本の導線を前記間隔を保持した状態で絶縁被覆する絶縁材とで構成され、商用電源を前記２本の導線によって受信器に供給する電源コード本体と、
この電源コード本体の前記２本の導線の間に配置され絶縁材で被覆された所定長の金属材で構成され、前記受信器に無線信号を供給するアンテナ素子と、
を具備したことを特徴とするアンテナ装置。
【請求項５】
前記アンテナ素子は、前記２本の導線と平行に配置されていることを特徴とする請求項１乃至４のいずれかに記載のアンテナ装置。
【請求項６】
前記アンテナ素子は、先端が折り返された形状に形成されていることを特徴とする請求項１乃至４のいずれかに記載のアンテナ装置。
【請求項７】
前記アンテナ素子は、メアンダ形状またはジクザグ形状に形成されていることを特徴とする請求項１乃至４のいずれかに記載のアンテナ装置。
【請求項８】
前記アンテナ素子は、ヘリカル形状に形成されていることを特徴とする請求項１乃至４のいずれかに記載のアンテナ装置。
【請求項９】
前記アンテナ素子は、所望無線周波数の波長の略１／４の奇数倍の長さを有することを特徴とする請求項１乃至４のいずれかに記載のアンテナ装置。
【請求項１０】
前記アンテナ素子は、その少なくとも一部分に誘電体が装荷されていることを特徴とする請求項１乃至４のいずれかに記載のアンテナ装置。
【請求項１１】
前記アンテナ素子は、複数設けられていることを特徴とする請求項１乃至４のいずれかに記載のアンテナ装置。
【請求項１２】
前記アンテナ素子は、先端に受信器のアンテナ入力端子に接続可能なコネクタが接続されたアンテナ給電線路と接続されていることを特徴とする請求項１乃至４のいずれかに記載のアンテナ装置。
【請求項１３】
所定間隔を置いて配置された２本の導線及びこの２本の導線の間に配置された所定長の金属素材でなるアンテナ素子とを絶縁被覆する絶縁材と、前記２本の導線の一端に接続され商用電源コンセントに接続される電源プラグとで構成された電源コードの前記電源プラグが前記商用電源コンセントに接続されることで前記２本の導線を介して商用電源が供給される電源回路部と、
前記アンテナ素子を介して無線信号を受ける受信回路部と、
を具備したことを特徴とする受信装置。
【請求項１４】
前記受信器が地上波デジタル放送を受信する受信器であることを特徴とする請求項１３に記載の受信装置。
【請求項１５】
商用電源を供給する複数の電源コンセントと、
この電源コンセントの少なくとも一つに接続され、前記商用電源の線路とコンデンサを介して接続された所定長の金属材でなる第１のアンテナ素子を有する第1のアンテナと、
所定間隔を置いて配置された２本の導線を被覆する絶縁材及び前記２本の導線の一端に接続された前記電源コンセントに接続される電源プラグとで構成された電源コードと、
この電源コードの前記２本の導線の間に配置され絶縁材によって被覆された所定長の金属素材でなる第２のアンテナ素子を有する第２のアンテナと、
前記電源コードの前記電源プラグが前記電源コンセントに接続されることで前記２本の導線を介して商用電源が供給される電源回路部及び前記第２のアンテナを介して無線信号を受ける受信回路部とを具備した受信器と、
でなることを特徴とする受信システム。
【請求項１６】
前記第１のアンテナは、前記電源コンセントに接続可能な電源プラグと一体的に構成されていることを特徴とする請求項１５に記載の受信システム。
【請求項１７】
前記第１のアンテナは、入力端が前記コンデンサを介して前記商用電源の線路と接続され、出力端が前記第１のアンテナ素子に接続され、前記商用電源から動作電源を得る高周波増幅器を備えていることを特徴とする請求項１５または１６のいずれかに記載の受信システム。
【請求項１８】
前記第１のアンテナ素子及び第２のアンテナ素子のいずれか一方または両方の長さが、所望無線周波数の波長の略１／４の奇数倍の長さに設定されていることを特徴とする請求項１５乃至１７のいずれかに記載の受信システム。
【請求項１９】
前記受信器が地上波デジタル放送を受信する受信器であることを特徴とする請求項１５乃至１８のいずれかに記載の受信システム。
【発明の詳細な説明】
【技術分野】
【０００１】
この発明は、外部の送信アンテナから伝送される電波を、一般家庭の屋内において商用電源線路を利用して受信するためのアンテナ装置及びそのアンテナ装置を備えた受信装置、受信システムに関し、特に、地上波デジタル放送を受信するに適したアンテナ装置、受信装置及び受信システムに関する。
【背景技術】
【０００２】
一般の家屋内に配設される商用電源線路は、発電所等の電源供給線源と電線により接続されており、例えばテレビジョン放送の放送電波がこの電線に信号として誘起し、屋内の配線にまで送られることはよく知られている。
【０００３】
屋内の商用電源配線を利用して放送電波を受信できれば、例えば屋根等に放送受信用の専用の受信アンテナを配設する必要がなく、受信器にアンテナケーブルを接続する必要がなくなるため、受信器を屋内において、自由に移動させることができるようになる。
【０００４】
このように、商用電源配線を利用して放送電波を受信するように受信器を構成する場合、受信器としては電源プラグを電源コンセントに差し込むという操作だけで放送電波を受信し、それを視聴するというのが究極の姿であり、そのような提案もいくつかされている。しかしながら、それらの提案を実用に供するには、何らかの問題を有している。
【０００５】
例えば、特許文献１には、商用電源ラインに、高周波信号抽出部として機能する高域通過フィルタを構成するコンデンサを接続すると共に、そのコンデンサとチューナ間に、コンデンサを含む電源ラインのインピーダンスをチューナのＲＦ（Radio Frequency）増幅部のインピーダンスに整合させるためのインピーダンス変換器を接続するようにしたテレビジョン受像機が提案されている。特許文献１では、このように構成したテレビジョン受像機によれば、電源プラグを商用電源に接続した状態で、商用電源ラインに乗っている放送電波をチューナで受信することができると記載されている。
【０００６】
また、特許文献２には、受信器のアンテナ入力端子に接続されるプラグが設けられたワイヤーを、ＡＣ（Alternating Current）電源コードの周囲に巻回するか、あるいはＡＣ電源コードの２本のリード線と共に絶縁被覆するように構成するという提案が示されている。この提案においても、商用電源線路に乗っている放送電波を受信することが可能であると記載されている。
【０００７】
特許文献１に示されているテレビジョン受像機では、電源ラインとチューナ間に高周波信号抽出用のコンデンサとインピーダンス変換器を接続する必要があり、そのための回路基板を新たに設けなくてはならず、部品と製造工数が増えてコストアップになる。また、落雷等によって電源ラインに異常電圧が加わった場合に、それがテレビジョン受像機の内部回路に直接加わるため、回路が破壊されるという事故を招き易いという問題を有する。
【０００８】
また、特許文献２に示されている提案では、次のような問題を有している。すなわち、ワイヤーをＡＣ電源コードの周囲に巻回するものでは、作業性が悪く、放送信号を効率よく安定して得ることが困難であるという問題を有している。さらに、ワイヤーをＡＣ電源コードと共に絶縁被覆するように構成したものでは、ワイヤーと電源コードの２本のリード線との距離が、それぞれ異なるため、放送信号を効率よく取得できないという問題がある。
【０００９】
また、これらの提案は、例えば現行の地上波アナログテレビジョン放送を受信する際には、電界強度が充分であれば、それなりに受信することは可能であるが、弱電界強度の環境においては、マルチパス等の影響を強く受けて画面にゴーストが発生して実用には適さない状況に陥ることに成りかねない。
【００１０】
さらに２００３年末から一部の地域を皮切りに全国展開される地上波デジタルテレビジョン放送では、周波数帯域としてＵＨＦ（Ultra High Frequency）が用いられ、変調方式としてＯＦＤＭ（Orthogonal Frequency Division Multiplexing）が採用されることになっており、さらにガードインターバルが付加されているためにマルチパスの影響を大きく減少させることが可能になるが、上記特許文献１、２に示されて提案では、地上波デジタル放送を受信対象とする場合に、必ずしも充分な性能を得ることができないという問題を有している。
【特許文献１】特開平１０−２８２４６号公報（２，３頁、図１，２，３）
【特許文献２】特開２００２−１５１９３２号公報（４，５頁、図１，２，３，４）
【発明の開示】
【発明が解決しようとする課題】
【００１１】
上記、特許文献１に示された提案では、構成が複雑になってコストが増加し、また落雷等の影響を受け易いという問題を有しており、特許文献２に示された提案では、放送信号を効率よく取得することが困難であるという問題を有していた。
【００１２】
本発明は、以上の点に対処してなされたものであり、構成が簡素で製造を簡単に行なうことができ、また放送信号を効率よく取得することが可能なアンテナ装置、受信装置及び受信システムを提供することを目的とする。
【課題を解決するための手段】
【００１３】
上記目的を達成するために本発明の一実施形態に係るアンテナ装置は、所定間隔を置いて配置された２本の導線及びこの２本の導線を電源に接続するための電源プラグとで構成された電源コード本体と、この電源コード本体の前記２本の導線を含む平面内に配置された金属材で構成されたアンテナ素子と、を具備したことを特徴とする。
【００１４】
また、本発明のアンテナ装置は、所定間隔を置いて配置された２本の導線及びこの２本の導線を前記間隔を保持した状態で絶縁被覆する絶縁材及び前記２本の導線の一端に接続され、前記２本の導線を電源に接続するための電源プラグとで構成された電源コード本体と、この電源コード本体の前記２本の導線の間に配置され絶縁材で被覆された所定長の金属材で構成されたアンテナ素子と、を具備したことを特徴とする。
【００１５】
さらに本発明のアンテナ装置は、所定間隔を置いて配置された２本の導線と、この２本の導線を前記間隔を保持した状態で絶縁被覆する絶縁材とで構成され、商用電源を前記２本の導線によって受信器に供給する電源コード本体と、この電源コード本体の前記２本の導線の間に配置され絶縁材で被覆された所定長の金属材で構成され、前記受信器に無線信号を供給するアンテナ素子と、を具備したことを特徴とする。
【００１６】
さらに本発明の受信装置は、所定間隔を置いて配置された２本の導線及びこの２本の導線の間に配置された所定長の金属素材でなるアンテナ素子とを絶縁被覆する絶縁材と、前記２本の導線の一端に接続され商用電源コンセントに接続される電源プラグとで構成された電源コードの前記電源プラグが前記商用電源コンセントに接続されることで前記２本の導線を介して商用電源が供給される電源回路部と、前記アンテナ素子を介して無線信号を受ける受信回路部と、を具備したことを特徴とする。
【００１７】
さらにまた、本発明の受信システムは、商用電源を供給する複数の電源コンセントと、この電源コンセントの少なくとも一つに接続され、前記商用電源の線路とコンデンサを介して接続された所定長の金属材でなる第１のアンテナ素子を有する第1のアンテナと、所定間隔を置いて配置された２本の導線を被覆する絶縁材及び前記２本の導線の一端に接続された前記電源コンセントに接続される電源プラグとで構成された電源コードと、この電源コードの前記２本の導線の間に配置され絶縁材によって被覆された所定長の金属素材でなる第２のアンテナ素子を有する第２のアンテナと、前記電源コードの前記電源プラグが前記電源コンセントに接続されることで前記２本の導線を介して商用電源が供給される電源回路部及び前記第２のアンテナを介して無線信号を受ける受信回路部とを具備した受信器と、でなることを特徴とする。
【発明の効果】
【００１８】
本発明によれば、構成が簡単で、しかも効率よく無線信号を受信することが可能なアンテナ装置、受信装置及び受信システムを提供することができるものである。
【発明を実施するための最良の形態】
【００１９】
以下、図面を参照しながら本発明の実施の形態について詳細に説明する。
図１は本発明のアンテナ装置を適用した受信システムの一実施の形態を示す図面である。図１は、一般家庭の家屋内部と、その家屋に商用電源を供給するための屋外給電設備を模式的に示す図である。
【００２０】
図１において、１００は家屋であり、１階部分１０１と２階部分１０２で構成されている。２階部分１０２の天井に近い位置に、外部からの電源を取り込む配電盤１０３が設けられ、この配電盤１０３から家屋１０１内に、配線１０４が張り巡らされており、配線１０４にコンセント１０５、１０６、１０７が接続され、該コンセント１０５〜１０７が例えば室内壁面に固定されている。
【００２１】
屋外には、電柱１０８が敷設され、この電柱１０８には柱上トランス
１０９が配設され、給電線１１０を介して柱状トランス１０９に送られた電源の電圧が例えば降圧されて、引き込み電線１１１を介して、配電盤１０３に、所定相数、所定電圧の商用電源を供給する。配電盤１０３には、図示しない電力メータ、ブレーカ及び複数のスイッチ等が設けられ、スイッチを介して屋内の配線１０４に例えば１００Ｖ（ボルト）の電力を送り出し、それをコンセント１０５〜１０７を介して利用することが可能となるように構成されている。
【００２２】
家屋１００内に取り付けられたコンセント１０５〜１０７のうち、コンセント１０５は、家屋１００内部の高い位置に設けられている。このコンセント１０５には、中継アンテナとしての機能を有するアンテナ素子を備えたプラグ１１２が差し込まれているが、その詳細は後に述べる。
【００２３】
２階部分１０２のもう一つのコンセント１０６には、本発明の受信装置であるテレビジョン受信器１１３の電源プラグ１１４が差し込まれて接続されている。
【００２４】
また、１階部分１０１のコンセント１０７には、同じく本発明の受信装置であるＤＶＤ（Digital Versatile Disk）レコーダ１１５の電源プラグ１１６が差し込まれて接続されている。
【００２５】
これら電源プラグ１１４，１１６は、テレビジョン受信器１１３及びＤＶＤレコーダ１１５の内部にそれぞれ設けられた電源回路と電源コード１１７，１１８を介して接続されるものであるが、電源コード１１７，１１８は、本発明のアンテナ装置を構成するコードとしての構造を有する。
【００２６】
図２は、図１に示すテレビジョン受信器１１３と電源プラグ１１４と電源コード１１７の関係を模式的に説明するための構成図である。図２に示すテレビジョン受信器１１３は、電源入力端子１１３ａ、電源回路１１３ｂ、アンテナ入力端子１１３ｃ、復調信号処理部１１３ｄ、ディスプレス１１３ｅ、ディスプレイ１１３ｆ及び音声出力部１１３ｇを含む。
【００２７】
テレビジョン受信器１１３は、例えば地上波デジタルテレビジョン放送を受信する受信器として構成されており、チューナ１１３ｄは、アンテナ入力端子１１３ｃから供給される放送信号を選局する機能と、選局した放送信号をＯＦＤＭ復調する機能と、復調した信号に対して必要に応じてスクランブルを解除する処理を施す機能と、誤り訂正等の処理を施す機能を含み受信信号をＭＰＥＧ（Moving Picture Experts Group）２のＴＳ（Transport Stream）に変換する手段と、ＴＳから番組を構成するＥＳ（Elementary Stream）を分離抽出する手段とで構成される。
【００２８】
チューナ１１３ｄから出力されるＥＳは、復調信号処理部１１３ｅに供給されて、ここで映像データに対してＭＰＥＧ２のデコード処理を施して、非圧縮のデジタル映像データを得る。同時に、音声データに対しては、ＭＰＥＧ２−ＡＵＤＩＯ（ＡＡＣ：Advanced Audio Coding）のデコードを施して、非圧縮の音声データを得る。復号されたデジタル映像データは、アナログ信号に変換されて所定の標準フォーマットのテレビジョン信号に変換されて、ディスプレイ１１３ｆに供給されて表示される。音声データは、アナログ信号に変換された後、スピーカ等を含む音声出力部１１３ｇから音声として出力される。
【００２９】
電源プラグ１１４と、テレビジョン受信器１１３間を接続する電源コード１１７は、電源プラグ１１４と接続される２本の導線を内包する電源コード本体部２０１を有する。
【００３０】
さらに電源コード１１７は、電源コード本体部２０１の２本の導線と接続されると共に、受信器１１３の電源入力端子１１３ａと電気的かつ機械的に接続可能な電源コネクタ２０２を有し、該電源コネクタ２０２が電源入力端子１１３ａと電気的に接続されることで電源プラグ１１４と受信器１１３の電源回路１１３ｂを接続する電源供給線路部２０３を有する。
【００３１】
電源コード１１７は、一端にアンテナ素子２０４が設けられ、他端にアンテナコネクタ２０５が設けられ、このアンテナコネクタ２０５をアンテナ入力タ端子１１３ｃに接続することで、アンテナ素子２０４をアンテナ入力端子１１３ｃに接続するアンテナ給電線としての同軸ケーブル部２０６を有し、さらに電源コード１１７は、アンテナ素子２０４を電源コード本体部２０１の２本の導線に対して、所定の位置関係に保持するための保持部材２０７を有する。
【００３２】
アンテナ素子２０４は、金属を棒状に加工したものであってもよいし、あるいは、同軸ケーブルの内導体をそのまま利用することが可能である。また、アンテナ素子の長さは、略λ／４の奇数倍に設定されるものであり、地上波デジタル放送が、ＵＨＦ帯域の１３チャンネルから６２チャンネルを用いているため、λ／４の値は、およそ１６ｃｍ〜１０ｃｍとなる。
【００３３】
また、アンテナ素子２０４の電源コード本体部２０１の２本の導線に対する位置は、具体的には、アンテナ素子２０４が電源コード本体部２０１の２本の導線の間に配置される。
【００３４】
その際に、アンテナ素子２０４を、電源コード本体部２０１の導線を被覆する絶縁部材の中に配設する必要はなく、被覆部材の外皮に沿うように配設してもよい。この場合、同軸ケーブルの内導体で形成する等、アンテナ素子２０４自体が導体である場合には、絶縁材で被覆することが好ましい。
【００３５】
なお、電源供給線路部２０３は、電源コード本体部２０１をそのまま延長して形成することも可能である。
【００３６】
以上のように構成された電源コード１１７によれば、外部の給電線、等を介して屋内の配線１０４に伝播されるた放送波をアンテナ素子２０４に誘起させて信号として取り出し、同軸ケーブル部２０６を介して受信器１１３のチューナ１１３ｄに供給してこれを受信することが可能となるものである。
【００３７】
図３は、電源コード本体部２０１と、アンテナ素子２０４の基本的関係をさらに説明するための図面である。図３において、電源プラグ１１４は、２本の接続子３０１，３０２を有し、この接続子３０１，３０２の基端部が、電源コード本体部２０１の２本の導線３０３，３０４とカシメ等によって機械的かつ電気的に結合され、接続子３０１，３０２と導線３０３，３０４の結合部を中心にして、接続子３０１，３０２の先端が突出するように、絶縁樹脂部材で成形されている。
【００３８】
アンテナ素子２０４は電源コード本体部２０１の２本の導線３０３、３０４の間に配設され、かつ電源コード本体部２０１の被覆部材で導線３０３，３０４と共に一体的に被覆されている。アンテナ素子２０４の基端は、電源コード本体部２０１の被覆部材から突出され、同軸ケーブル部２０６の内導体３０５と半田等によって接続されている。あるいはアンテナ素子２０４は、同軸ケーブル部２０６の内導体３０５をそのまま延長して形成することも可能であり、その場合には半田付け等の処理は不要となる。
【００３９】
図４は、本発明のアンテナ装置の一実施の形態を一部断面で示す図であり、図４（ａ）が、図３に示す導線３０３，３０４とアンテナ素子２０４を横方向から見た図、図４（ｂ）が、図４（ａ）を図面上端側から面と平行な方向に見た図、図４（ｃ）は図４（ａ）の横断面である。
【００４０】
図４（ｃ）に示すとおり、電源コード本体部２０１は、断面楕円形の被覆部材の内部に、２本の導線３０３，３０４が楕円の長円方向の両端部に配置され、その導線３０３と３０４の間に、導線３０３，３０４を結ぶ線の略中心部に、アンテナ素子２０４が配設されている。
【００４１】
アンテナ素子２０４は、基端部において、電源コード本体部２０１の被覆部材から突出され、略直角に折曲されて、同軸ケーブル部２０６の内導体３０５と半田４０１等で接続されている。
【００４２】
なお、図４において、導線３０３を白抜き線として示しているが、これは図面上、アンテナ素子２０４と区別し易くすることを目的とした表現であり、実際には導線３０３，３０４は、一般的に電源コードに適用されているものと同様にそれぞれ細線を複数本まとめたもので構成されている。以下の図面における導線３０３，３４０についても同様である。
【００４３】
図５は、本発明のアンテナ装置の他の実施の形態を示す図面であり、図４に示すアンテナ装置に対して、アンテナ素子の形状を変更したものである。すなわち、アンテナ素子５０１としてその先端を矩形に折曲して、基端部方向に戻すように構成したものである。なお、図５（ａ）（ｂ）（ｃ）は、図４（ａ）（ｂ）（ｃ）にそれぞれ対応するもので、図４と同じ方向から見た図である。
【００４４】
このように構成することにより、アンテナ素子５０１としては、図４に示すアンテナ素子２０４に比して、長手方向の長さを短くすることができるものである。
【００４５】
図６は、本発明のアンテナ装置の他の実施の形態を示す図面であり、図４に示すアンテナ装置に対して、アンテナ素子の形状を変更したものである。すなわち、アンテナ素子６０１として、導線３０３，３０４を結ぶ面内において、その面方向に、メアンダ状またジグザグに折曲するように構成したものである。なお、図６（ａ）（ｂ）（ｃ）は、図４（ａ）（ｂ）（ｃ）にそれぞれ対応するもので、図４と同じ方向から見た図である。
【００４６】
このように構成することにより、アンテナ素子６０１としては、図５に示すアンテナ素子５０１よりもさらに、長手方向の長さを短くすることができるものである。
【００４７】
図７は、本発明のアンテナ装置の他の実施の形態を示す図面であり、さらに、アンテナ素子の形状を変更したもので、アンテナ素子７０１として、導線３０３，３０４を結ぶ線の中心部に中心を置く、ヘリカル状に構成したものである。なお、図７（ａ）（ｂ）（ｃ）は、図４（ａ）（ｂ）（ｃ）にそれぞれ対応するもので、図４と同じ方向から見た図である。
【００４８】
このように構成することにより、アンテナ素子７０１としては、ヘリカルアンテナとして形成されることになり、さらに、長手方向の長さを短くすることができるものである。
【００４９】
図８は、本発明のアンテナ装置の他の実施の形態を示す図面であり、図４に示すアンテナ装置に対して、アンテナ素子の形状を変更したものである。すなわち、アンテナ素子８０１として、２本構成としたものである。なお、図８は、図４（ａ）対応するもので、図４（ａ）と同じ方向から見た図である。
【００５０】
このように構成することにより、アンテナ素子８０１としては、図４に示すアンテナ素子２０４に比して、長手方向の長さを短くすることができるものである。
【００５１】
図９は、本発明のアンテナ装置の他の実施の形態を示す図面であり、アンテナ素子９０１として、その中間部に誘電体９０２を配設した構成としたものである。なお、図９は、図４（ａ）対応するもので、図４（ａ）と同じ方向から見た図である。
【００５２】
このように構成することにより、アンテナ素子８０１としては、図４に示すアンテナ素子２０４に比して、長手方向の長さを短くすることができるものである。
【００５３】
さらにまた、図１０は本発明のアンテナ装置の他の実施の形態を示す図面である。図１０に示す実施の形態では、電源コード本体２０１の２本の導線３０３，３０４を所定の誘電特性を有する絶縁材１００１で被覆すると共に、アンテナ素子１００２を導線３０３，３０４を被覆した絶縁材１００１とは異なる誘電特性を有する絶縁材１００３で被覆したものである。
【００５４】
このように構成すれば、アンテナ素子の長さを絶縁材の誘電特性との関係によって設定することができるための設計の自由度を増加させることができるものである。
【００５５】
さらに、以上説明したアンテナ装置では、アンテナ素子を、その先端が電源プラグ側に向くように、電源コード本体２０１に埋設しているが、
アンテナ素子の先端を受信器側に向くように構成することも可能である。
【００５６】
図１１は、そのようにアンテナ素子を配置したアンテナ装置の例を示すものであり、図２と同じ構成部分に同じ符号を付して詳細な説明は省略する。
【００５７】
図１１において、電源プラグ１１０１には、アンテナ給電線を構成する同軸ケーブル１１０２が、その先端が接続子１１０３，１１０４とは反対方向を向くように一体的に取り付けられており、同軸ケーブル１１０２の内導体そのもの、あるいは内導体に半田付け等で接続された金属材１１０５が、電源コード１１０６に沿って延出されている。金属材１１０５はアンテナ素子を構成するものであり、例えばＵＨＦ帯の波長の略１／４の奇数倍の長さを有するものである。波長の１／４の実際の長さはおよそ１６ｃｍ〜１０ｃｍ程度である。
【００５８】
同軸ケーブル１１０２のアンテナ素子１１０５とは反対側の先端には、アンテナコネクタ１１０７が接続され、このアンテナコネクタ１１０７が受信器１１３のアンテナ入力端子１１３ｃに結合される。
【００５９】
また、電源コード１１０６の電源プラグ１１０１と反対側の先端には電源コネクタ１１０８が接続され、この電源コネクタ１１０８が、受信器１１３の電源入力端子１１３ａに結合される。
【００６０】
図１２は、図１１の電源プラグ１１０１、同軸ケーブル１１０２、アンテナ素子１１０５、電源コード１１０６のより詳細な構造を示すものである。図１２（ａ）は電源コード１１０６を横方向から見て、その内部を断面で示す図。図１２（ｂ）は、図１２（ａ）を図の右方向から見た図である。図１２（ａ）に示すように、電源コード１１０６内には、２本の導線１２０１，１２０２が配置され、この導線が電源プラグ１１０１に設けられた接続子１１０３，１１０４と電源プラグ１１０１内部で接続されている。さらに電源コード１１０６には、導線１２０１，１２０２の間に位置するように、アンテナ素子１１０５が配置されて、導線１２０１，１２０２と共に絶縁材で被覆されている。
【００６１】
導線１２０１，１２０２とアンテナ素子１１０５の位置関係は、図１２（ｂ）に示すように、２本の導線１２０１と１２０２によって形成される略平面内にアンテナ素子１１０５が位置するような配置となるように構成されている。
【００６２】
図１１及び図１２で示す実施の形態では、電源プラグ１１０１を形成する絶縁材にアンテナ素子１１０５が一体的に支持されるように構成されるため、機械的強度を充分に確保することができ、さらに図２〜図１０で説明した保持部材２０７を必要としないため、構造が簡素となり低コスト化を実現すると共に、電源ケーブルを取り扱い易いものとすることが可能である。
【００６３】
さて、以上説明した本発明の実施の形態においては、商用電源線路に誘起される放送電波を、電源コードに併設したアンテナ素子でピックアップするものであり、マルチパスの影響を受け易いものであるが、地上波デジタル放送を受信するという用途に特定すれば、アンテナ素子で得られる放送信号のレベルが充分に高くなくとも、良好にテレビジョン放送を視聴することが可能となるものである。しかしながら、放送番組をより良好な状態で視聴するには、アンテナ素子によってより高いレベルの放送信号を取得できるようにすることが好ましい。
【００６４】
以下、良好な受信状態を実現するための受信システムについて詳細に説明する。図１に戻ってそれを参照すると、本発明の受信システムは家屋内の高い位置、例えば２階部分１０２の高い位置に設けられた電源コンセント１０５に差し込まれた電源プラグ１１２を利用するものである。
【００６５】
すなわち、電源プラグ１１２には、コンデンサを介して、配線１０４と接続されるアンテナ素子が取り付けられており、電源プラグ１１２全体で補助アンテナを構成している。
【００６６】
補助アンテナ１１２の機能としては、空中に存在する放送電波の中から、ＵＨＦ帯のものを特定してそれをキャッチし、配線１０４を介して屋内に伝送するものである。あるいは、配線１０４に乗っている放送電波からＵＨＦ帯のものを特定してそれを強調し、配線１０４を介して屋内に伝送するものである。
【００６７】
その結果、テレビジョン受信器１１３の電源プラグ１１４を電源コンセント１０６に差し込んだり、ＤＶＤレコーダ１１５の電源プラグ１１６をコンセント１０７に差し込むことで、電源コード１１７，１１８
に併設されたアンテナ素子で放送を良好に受信できるようになるものである。
【００６８】
補助アンテナ１１２が差し込まれる電源コンセント１０５は、部屋の高い位置に設けられているため、補助アンテナ１１２に誘起される放送電波はより強いものとなり、それだけ利得を上げることが可能である。
【００６９】
図１３は、補助アンテナ１１２の外観を示す斜視図である。接続子１３０１と１３０２が設けられ、これが電源コンセント１０５に差し込まれる。アンテナ素子１３０３，１３０４は、補助アンテナ１１２の基体１３０５に支持され、基体１３０５内部でそれぞれコンデンサを介して接続子１３０１，１３０２と接続されている。アンテナ素子１３０３，１３０４の長さは、ＵＨＦテレビジョン放送帯域の波長の略λ／４である。
【００７０】
図１４は、図１３に示す補助アンテナ１１２の基体１３０５内部の構成を詳細に示す図である。図に示すように接続子１３０１とアンテナ素子１３０３間にコンデンサ１４０１が接続され、接続子１３０２とアンテナ素子１３０４間にコンデンサ１４０２が接続されている。
【００７１】
図１３，１４に示す実施の形態において、アンテナ素子１３０３，１３０４で取得した放送波を、接続子１３０１，１３０２を介してそのまま配線１０４に送出することで、それなりに利得が上昇し、受信状況を向上させることが可能となるが、アンテナ素子１３０３，１３０４で受けた放送波を増幅してから、配線１０４に送り出すように構成すれば、さらに受信状況を良好なものとすることができるものである。
【００７２】
図１５に示す実施の形態では、補助アンテナ１１２の基体１３０５内に高周波増幅器を設け放送波を増幅して送り出すように構成している。
【００７３】
図１５において、基体１３０５内には、電源回路部１５０１と、高周波増幅部１５０２が設けられている。電源回路部１５０１は、接続子１３０１，１３０２と接続され、補助アンテナ１１２がコンセント１０５に差し込まれた際に、接続子１３０１，１３０２から得られる電源に基づいて、高周波増幅部１５０２用の動作電源を生成して供給する。
【００７４】
高周波増幅部１５０２は、アンテナ素子１３０３に接続された増幅器１５０３と、この増幅器１５０３の出力端と接続子１３０１間に接続されたコンデンサ１５０４を備えると共に、アンテナ素子１３０４に接続された増幅器１５０５と、この増幅器１５０５の出力端と接続子１３０２間に接続されたコンデンサ１５０６を備える。
【００７５】
図１５に示した実施の形態によれば、アンテナ素子１３０３，１３０４に誘起された放送波を増幅器１５０３、１５０５でそれぞれ増幅し、接続子１３０１，１３０２に接続された電源コンセントを介して、屋内の配線１０４に送り出すことが可能になる。
【００７６】
図１３〜１５に示した補助アンテナ１１２は、アンテナ素子１３０３，１３０４が基体１３０５にそのまま固定される構造を有しているが、アンテナ素子１３０３，１３０４を基体１３０５と一体的に絶縁材で被覆するようにしてもよく、図１６にその例を示す。
【００７７】
図１６において、アンテナ素子１３０３が被覆部材１６０１で被覆され、アンテナ素子１３０４が被覆部材１６０２で被覆されている。このようにアンテナ素子１３０３，１３０４を絶縁材で被覆することにより、電気的特性が安定するものである。
【００７８】
さらに、図１３〜１６に示す実施の形態においては、アンテナ素子１３０３，１３０４が、そのまま基体１３０５に取り付けられているが、その長さは、前述のように、ＵＨＦ帯のテレビジョン放送を受信する場合には、λ／４であってもおよそ１６ｃｍ〜１０ｃｍとなり、取り扱い易いものであるとは言い難い形状を有している。
【００７９】
アンテナ素子の長さを短くして、基体内に閉じ込めるてしまえば、取り扱い性が向上するものである。そのように構成した補助アンテナの例を図１７〜２１に示す。
【００８０】
図１７の補助アンテナ１１２は、アンテナ素子１７０１，１７０２をその先端を折り返すように構成して、長さを短くしたものである。
【００８１】
また、図１８の補助アンテナ１１２は、アンテナ素子１８０１，１８０２をアメンダまたはジグザク形状にしており、図１９では、アンテナ素子１９０１，１９０２をヘリカル形状にしている。また、図２０の補助アンテナ１１２では、アンテナ素子２００１，２００２をそれぞれ２本の素子で構成するようにしており、図２１では、アンテナ素子２１０１２，２１０２にそれぞれ誘電体２１０３，２１０４を装荷するようにしている。
【００８２】
以上説明した図１７〜２１に示す補助アンテナ１１２によれば、アンテナ素子が基体１３０５から突出することがないため、アンテナ素子が邪魔にならず、またアンテナ素子に外力が直接作用することがなくなるため、破損事故を防ぐことができるものである。
【００８３】
なお、図１７〜２１に示す補助アンテナ１１２においても、図１５に示す実施形態と同様に、基体１３０５内部に高周波増幅器を組み入れることは可能である。
【００８４】
また、以上説明した実施の形態では、本発明のアンテナ装置を地上波デジタルテレビジョン放送の受信用として適用したものとして説明したが、地上波デジタル放送に限定されることなく、他の高周波無線信号を扱う機器に適用することが可能である。例えば、携帯電話に商用電源入力端子とアンテナ入力端子を設けて、屋内において使用する際に、商用電源から電源を供給し、かつアンテナ素子をアンテナ給電線を介してアンテナ入力端子に接続するように構成すれば、電波状態の悪い環境においても携帯電話を良好に使うことができるようになるものである。
【００８５】
以上述べたように本発明によれば、構造が簡単で、無線電波を効率よく受信することが可能なアンテナ装置、受信装置及び受信システムを実現することができるものである。
【図面の簡単な説明】
【００８６】
【図１】本発明の受信システムの一実施の形態を説明するための構成図。
【図２】本発明のアンテナ装置及び受信装置の一実施の形態を示す図。
【図３】本発明のアンテナ装置の一実施の形態の基本構造を説明するための図。
【図４】本発明のアンテナ装置の一実施の形態を示す図。
【図５】本発明のアンテナ装置の他の実施の形態を示す図。
【図６】本発明のアンテナ装置のさらに他の実施の形態を示す図。
【図７】本発明のアンテナ装置のさらに他の実施の形態を示す図。
【図８】本発明のアンテナ装置のさらに他の実施の形態を示す図。
【図９】本発明のアンテナ装置のさらに他の実施の形態を示す図。
【図１０】本発明のアンテナ装置のさらに他の実施の形態を示す図。
【図１１】本発明のアンテナ装置のさらに他の実施の形態の基本構造を説明するための図。
【図１２】本発明のアンテナ装置のさらに他の実施の形態を示す図。
【図１３】本発明の受信システムの第1のアンテナを構成する補助アンテナの一実施の形態を示す斜視図。
【図１４】図１３に示すアンテナを詳細に説明するための図。
【図１５】本発明の受信システムの第1のアンテナを構成する補助アンテナの他の実施の形態を示す図。
【図１６】本発明の受信システムの第1のアンテナを構成する補助アンテナのさらに他の実施の形態を示す図。
【図１７】本発明の受信システムの第1のアンテナを構成する補助アンテナのさらに他の実施の形態を示す図。
【図１８】本発明の受信システムの第1のアンテナを構成する補助アンテナのさらに他の実施の形態を示す図。
【図１９】本発明の受信システムの第1のアンテナを構成する補助アンテナのさらに他の実施の形態を示す図。
【図２０】本発明の受信システムの第1のアンテナを構成する補助アンテナのさらに他の実施の形態を示す図。
【図２１】本発明の受信システムの第1のアンテナを構成する補助アンテナのさらに他の実施の形態を示す図。
【符号の説明】
【００８７】
１１３…テレビジョン受信器
１１３ａ…電源入力端子
１１３ｃ…アンテナ入力端子
１１４…電源プラグ
１１７…電源コード
２０１…電源コード本体
２０２…電源コネクタ
２０３…電源供給線路部
２０４…アンテナ素子
２０５…アンテナコネクタ
２０６…同軸ケーブル部
【図１】
2005136907.tif 000003
【図２】
2005136907.tif 000004
【図３】
2005136907.tif 000005
【図４】
2005136907.tif 000006
【図５】
2005136907.tif 000007
【図６】
2005136907.tif 000008
【図７】
2005136907.tif 000009
【図８】
2005136907.tif 000010
【図９】
2005136907.tif 000011
【図１０】
2005136907.tif 000012
【図１１】
2005136907.tif 000013
【図１２】
2005136907.tif 000014
【図１３】
2005136907.tif 000015
【図１４】
2005136907.tif 000016
【図１５】
2005136907.tif 000017
【図１６】
2005136907.tif 000018
【図１７】
2005136907.tif 000019
【図１８】
2005136907.tif 000020
【図１９】
2005136907.tif 000021
【図２０】
2005136907.tif 000022
【図２１】
2005136907.tif 000023